(57)【特許請求の範囲】
【請求項１】
それぞれステムが突設されて横並び状態に連結された２連式エアゾール容器に、正面及び背面がそれぞれ垂直平面状の共通の肩カバーが嵌着されると共に、内部に形成された横長の流路にそれぞれのステムに嵌着される両側一対の筒部が下設されて、肩カバー内に設けられた噴射ボタンが、その上面からの押し下げ操作で下動することにより、双方のステムから吐出されたエアゾールを混合状態で肩カバー正面側から噴射するようになった２液混合型エアゾール装置用噴射ボタンにおいて、
噴射ボタン（２５）に、双方のステム（６）間の中間領域を占めるように被拘束部（２８）が形成されると共に、前記被拘束部（２８）に対するストッパ（３５、３５ａ、４５）を水平方向へ前記噴射ボタン（２５）に向けて突設されたスライドボタン（３０）が、肩カバー（２０）の垂直平面状の背面に形成された開口部（２９、４１、４２）に、ロック位置及びアンロック位置並びに取外し位置の３段階に前記背面に沿って横方向へスライド可能にガイドされ、
前記ストッパ（３５、３５ａ、４５）が、前記アンロック位置では前記被拘束部（２８）の下方位置を占めずに前記噴射ボタン（２５）の下動を許容し、かつ前記ロック位置及び前記スライドボタン（３０）を前記肩カバー（２０）から取外し可能にする前記取外し位置では被拘束部（２８）の下方位置を占めて、前記下動を拘束して前記噴射ボタン（２５）の押し下げ操作をロックするように形成され、
前記スライドボタン（３０）を前記ロック位置及び前記アンロック位置間のスライド領域では前記肩カバー（２０）に係止し、かつ前記取外し位置にスライドすると前記肩カバー（２０）から離脱可能にする係止部材（３２）が、前記スライドボタン（３０）に形成されたことを特徴とする２液混合型エアゾール装置用噴射ボタン。
【請求項２】
肩カバー（２０）に、噴射ボタン（２５）の上面を押し下げ操作するように、レバー（２１）がインテグラルヒンジ部（２１ａ）を介して一体に形成されていることを特徴とする請求項１記載の２液混合型エアゾール装置用噴射ボタン。
【請求項３】
スライドボタン（３０）の上方領域に、開口部（２９）の上縁で係止される係止爪（３２）を係止部材として形成し、また前記スライドボタン（３０）の下方領域に、前記開口部（２９）の下縁に沿ってガイドされるスライド爪（３１，３１ａ）をスライド方向に離間させて一対形成し、
２個のエアゾール容器（１，２）のマウンティングキャップ（５）を連結する連結キャップ（１０）の外周面に、前記下縁とで一対の前記スライド爪（３１，３１ａ）をスライド可能に挟持する爪挟持レール（１７，１７ａ）をスライド方向に離間させて一対形成すると共に、一対の前記爪挟持レール（１７，１７ａ）が、ロック位置及びアンロック位置間のスライド領域では一対の前記スライド爪（３１，３１ａ）を挟持し、取外し位置にスライドすると一対の前記スライド爪（３１，３１ａ）の挟持を解除するように形成されていることを特徴とする請求項１又は請求項２記載の２液混合型エアゾール装置用噴射ボタン。
【請求項４】
肩カバー（２０）の垂直平面状の背面に、上側の第１の開口部（４１）及び下側の第２の開口部（４２）を形成すると共に、スライドボタンスライドボタン（３０）に、第１の前記開口部（４１）の上縁で係止される係止部材としての係止爪（３２）と、第２の前記開口部（４２）の下縁に沿ってガイドされ、かつスライド方向に離間した一対のスライド爪（３１，３１ａ）とを形成し、
第２の前記開口部（４２）の上縁に、第２の前記開口部（４２）の下縁とで一対の前記スライド爪（３１，３１ａ）をスライド可能に挟持する爪挟持レール（４３，４３ａ）をスライド方向に離間させて一対形成すると共に、一対の前記爪挟持レール（４３，４３ａ）が、ロック位置及びアンロック位置間のスライド領域では一対の前記スライド爪（３１，３１ａ）を挟持し、取外し位置にスライドすると一対の前記スライド爪（３１，３１ａ）の挟持を解除するように形成されていることを特徴とする請求項１又は請求項２記載の２液混合型エアゾール装置用噴射ボタン。
【発明の詳細な説明】
【０００１】
【発明の属する技術分野】
本発明は、横並び状態に連結された２個のエアゾール容器の共通の肩カバー内に設けられ、かつ押し下げ操作により双方のステムから吐出されたエアゾールを混合状態で噴射する２液混合型エアゾール装置用噴射ボタンに関するものである。
【０００２】
【従来の技術】
この種の噴射ボタンは、押し下げ操作されることにより、例えば頭髪脱色剤等において塩基性の内容物及び酸性の内容物を双方のステムから同時に吐出させて混合状態で噴射口から噴射することができる。
【０００３】
【発明が解決しようとする課題】
したがって、単体のエアゾール容器の場合と同様に不使用時に噴射ボタンが意に反して押し下げ操作されると、２種類の内容物が誤噴射されることになる。
【０００４】
本発明は、このような点に鑑みて、双方のステム間の空間領域の存在に着眼して、ロック及びアンロック位置への横方向のスライド操作に加えて取外し操作も可能なロック機構付きの２液混合型エアゾール装置用噴射ボタンを提供することを目的とする。
【０００５】
【課題を解決するための手段】
本発明は、この目的を達成するために、請求項１により、それぞれステムが突設されて横並び状態に連結された２連式エアゾール容器に、正面及び背面がそれぞれ垂直平面状の共通の肩カバーが嵌着されると共に、内部に形成された横長の流路にそれぞれのステムに嵌着される両側一対の筒部が下設されて、肩カバー内に設けられた噴射ボタンが、その上面からの押し下げ操作で下動することにより、双方のステムから吐出されたエアゾールを混合状態で肩カバー正面側から噴射するようになった２液混合型エアゾール装置用噴射ボタンにおいて、噴射ボタン（２５）に、双方のステム（６）間の中間領域を占めるように被拘束部（２８）が形成されると共に、被拘束部（２８）に対するストッパ（３５、３５ａ、４５）を水平方向へ噴射ボタン（２５）に向けて突設されたスライドボタン（３０）が、肩カバー（２０）の垂直平面状の背面に形成された開口部（２９、４１、４２）に、ロック位置及びアンロック位置並びに取外し位置の３段階に背面に沿って横方向へスライド可能にガイドされ、ストッパ（３５、３５ａ、４５）が、アンロック位置では被拘束部（２８）の下方位置を占めずに噴射ボタン（２５）の下動を許容し、かつロック位置及びスライドボタン（３０）を肩カバー（２０）から取外し可能にする取外し位置では被拘束部（２８）の下方位置を占めて、下動を拘束して噴射ボタン（２５）の押し下げ操作をロックするように形成され、スライドボタン（３０）をロック位置及びアンロック位置間のスライド領域では肩カバー（２０）に係止し、かつ取外し位置にスライドすると肩カバー（２０）から離脱可能にする係止部材（３２）が、スライドボタン（３０）に形成されたことを特徴とする。
【０００６】
双方のステム（６）間の中間領域を占めるように噴射ボタン（２５）に形成された被拘束部（２８）に対するストッパ（３５、３５ａ、４５）は、スライドボタン（３０）のスライド操作に連動して双方のステム（６）間を移動する。スライドボタン（３０）は、ロック位置及び下動が可能なアンロック位置間のスライド領域では係止部材（３２）により肩カバー（２０）に係止されている。また、取外し位置にスライドすると係止部材（３２）による係止が解除され、スライドボタン（３０）を肩カバー（２０）から取外し可能となる。
【０００７】
【発明の実施の形態】
図１乃至図５を基に本発明の実施の形態の一例による２液混合型エアゾール装置用のロック機構付き噴射ボタンを説明する。図４において、例えば染毛剤用に第１剤として酸性染料を含む内容物が充填されたエアゾール容器１と第２剤として酸化剤を含む内容物が充填されたエアゾール容器２とが、それぞれのステム６を備えたマウンティングキャップ５に連結キャップ１０が装着されることにより、横並び状態に連結される。この連結キャップは位置決め片１２がマウンティングキャップ５に当接する位置に嵌着され、また外周面に係合突起１５が形成されていることにより肩カバー２０がエアゾール容器１、２の肩部近辺に嵌着されて、２液混合型エアゾール装置を構成している。
【０００８】
この肩カバーの凹部には、図１乃至図４に示すように、インテグラルヒンジ部２１ａを介して一体に形成されているレバー２１の下方に位置するように、噴射ボタン２５が収納されている。これにより、レバー２１に形成された両側一対の突起２２を介して噴射ボタン２５の上面が押し下げ操作される。肩カバー２０の嵌着の際に、噴射ボタン２５に形成された横長の流路２４に下設された両側一対の筒部２６がそれぞれのステム６に嵌着される。流路２４の中央部には、押し下げ操作方向と直交方向に横向きのノズル２７が突設されている。噴射ボタン２５は、マウンティングキャップ５内のステム６が収容されるバルブハウジングに内蔵の復帰ばねにより、押し下げ操作が解除されると、上方の原位置へ復帰する。
【０００９】
３０は肩カバーに形成された開口部２９に横方向へスライド可能にガイドされるスライドボタンであり、その内面に噴射ボタン２５の押し下げ操作を拘束するための両側一対のプレート状ストッパ３５、３５ａが水平方向へ噴射ボタン２５に向けて突設されている。このストッパ３５は、連結キャップ１０の上面の両側のステム６間に位置するように設けられたストッパ載置レール１６に載置されて下方から支持される。このストッパ載置レールはコの字形に形成されて、噴射ボタン２５の底面の中央位置に下方へ向けて突設された断面方形の被拘束部としての突出部２８が侵入する溝１６ａを形成している。
【００１０】
ストッパ３５、３５ａが高さ方向の中間領域に突設されているスライドボタン３０の上方領域には、縦幅がその縦幅よりも狭く、かつ横幅は広い開口部２９の上縁２９ｂで係止される係止爪３２が係止部材として形成され、下方領域には開口部２９の下縁２９ａに沿ってスライドするスライド爪３１、３１ａがスライド方向に離間されて一対形成されている。連結キャップ１０の外周面には、下縁２９ａとでスライド爪３１、３１ａをスライド可能に挟持する爪挟持レール１７、１７ａがスライド方向に離間されて一対形成されている。
【００１１】
図５に示すように、互いに離間したストッパ３５、３５ａは、中央のアンロック位置で突出部２８の溝１６ａへの侵入を許容するようにその下方位置を外れた両側位置を占め、ロック位置では一方のストッパ３５が突出部２８の下方位置を占め、取外し位置では他方のストッパ３５ａが突出部２８の下方位置を占めるように位置及び形状設定されている。また、爪挟持レール１７、１７ａは、ロック位置及びアンロック位置間のスライド領域では双方のスライド爪３１、３１ａを挟持するように相対的に幅広に形成されると共に、取外し位置でこれらのスライド爪の挟持を解除するように、スライド爪３１、３１ａ間の隙間領域を占めるように位置及び形状設定されている。
【００１２】
このように構成された噴射ボタン２５の動作を図５を参照して説明する。スライドボタン３０がその正面凹部３３に指を当てて片手のスライド操作によりロック位置（同図Ｃ）を占めた状態では、一方のストッパ３５が突出部２８にほぼ当接する下方位置を占めることにより、噴射ボタン２５の下動が拘束されると共に、スライド爪３１、３１ａが爪挟持レール１７、１７ａ及び下縁２９ａで挟持され、係止爪３２の上縁２９ｂによる係止状態が確保される。
【００１３】
スライドボタン３０をアンロック位置（同図Ｂ）へスライドさせると、突出部２８がストッパ３５、３５ａ間の隙間領域を占めて溝１６ａへ侵入可能となり、噴射ボタン２５の押し下げ操作が許容される。したがって、その操作時にはエアゾール容器１、２のステム６から吐出された２種類のエアゾールは流路２４で混合され、ノズル２７から泡状エアゾールとして噴射される。この状態でも、スライド爪３１、３１ａが爪挟持レール１７、１７ａで挟持され、係止爪３２の上縁２９ｂによる係止状態が確保され、スライドボタン３０の取外しは依然拘束されている。
【００１４】
スライドボタン３０を取外し位置（同図Ａ）にスライドさせると、一方の爪挟持レール１７がスライド爪３１、３１ａ間の隙間位置を占め、他方の爪挟持レール１７ａは横へ外れることにより、係止爪３２を下方へ僅かに撓ませた状態でスライドボタン３０を肩カバー２０から離反させて簡単に取外し可能となる。その際、突出部２８はストッパ３５ａに拘束されていることにより、誤操作で内容物が噴射されるのが回避される。したがって、ストッパ３５、３５ａ、スライドボタン３０等で構成されるロック機構は、単独で分別回収したい場合或は交換したい場合等に、容易に取外すことができる。
【００１５】
尚、ストッパ３５、３５ａが拘束する被拘束部は、前述の突出部２８に代えて、場合により、噴射ボタン２５から下方でなくスライドボタン３０に向けて突出させたり、或は両側に凹部を備えたその底面自体とすることもできる。
【００１６】
図６は別の実施の形態によるロック機構を示すもので、前述のものと同一もしくは同等部分は同一符号で説明する。肩カバー２０には、ストッパ４５を挿通させる上側の開口部４１と、スライドボタン３０の一対のスライド爪３１、３１ａをガイドする下側開口部４２とが形成されている。一対の爪挟持レール４３、４３ａは、連結キャップ１０に代えて、開口部４２の上縁にその縦幅を狭くして形成されている。係止爪３２は開口部４１の上縁４１ａに係止される。ストッパ４５の先端部には、前述のストッパ載置レール１６に代えて、連結キャップ１０の上面をスライドする膨出部４５ａが形成されている。ストッパ４５は、図で見て右端のロック位置と左端の取外し位置では噴射ボタン２５の下方への突出部２８の下方位置を占め得る横幅を有し、中央のアンロック位置では突出部２８を侵入させる凹部４８を備えた形状に形成されている。
【００１７】
さらに、図６の凹部４８の位置を図で見て右方へずらすと、アンロック位置を中央位置でなく、右端へ入れ替えることも可能である。また、本発明はレバーを介さずに直接押し下げ操作される噴射ボタンにも当然適用される。
【００１８】
【発明の効果】
請求項１の発明によれば、２連式エアゾール容器の噴射ボタンにロック機構が付属することにより、誤操作が回避される。ロック機構のスライドボタンがロック位置及びアンロック位置に加えて取外し位置の３段階にスライド操作され得ることにより、ロック機構が残りの肩カバー及び噴射ボタンと分離して回収でき、またロック機構のみを交換することも可能になる。スライド操作であることにより、噴射ボタンを操作する手で容易に片手操作することができる。取外し位置でも噴射ボタンの押し下げ操作が拘束されることにより、ロック機構付きのスライドボタンの取外し時に誤噴射されることがなくなる。請求項２の発明によれば、噴射ボタンの上面からの押し下げ操作がレバーで行うことができ、請求項３又は請求項４の発明によれば、簡単な構成により、ロック機構付のスライドボタンが横スライド可能に肩カバーに容易に装着され、取外し操作も簡単にできる。
【図面の簡単な説明】
【図１】  本発明の実施の形態による２液混合型エアゾール装置の要部の図２のＡ−Ａ線による断面図である。
【図２】  同エアゾール装置の平面図である。
【図３】  同エアゾール装置の要部の一部を図２のＢ−Ｂ線による断面図で示した正面図である。
【図４】  同エアゾール装置の分解斜視図である。
【図５】  同エアゾール装置の噴射ボタンの動作を説明する概略平面図及び背面図である。
【図６】  別の実施の形態による噴射ボタンのロック機構の斜視図である。
【符号の説明】
１、２  エアゾール容器
５  マウンティングキャップ
６  ステム
１０  連結キャップ
１７、１７ａ、４３、４３ａ  爪挟持レール
２０  肩カバー
２５  噴射ボタン
２６  筒部
２８  被拘束部用突出部
２９、４１、４２  開口部
３０  スライドボタン
３１、３１ａ  スライド爪
３２  係止爪
３５、３５ａ、４５  ストッパ
【図１】
0004558885.tif 000002
【図２】
0004558885.tif 000003
【図３】
0004558885.tif 000004
【図４】
0004558885.tif 000005
【図５】
0004558885.tif 000006
【図６】
0004558885.tif 000007